(57)【要約】【課題】携帯電話等の情報端末を使用して商品の情報を得ることおよび商品の注文をすることを容易にすること。【解決手段】管理装置５の商品マスターファイルは商品を識別するために商品に付けられたバーコード並びに前記バーコードが示す共通商品コードに対応する商品カタログコードおよび商品価格情報を記憶し、管理装置５の商品用途マスターファイルは前記商品カタログコードに対応する商品用途情報を記憶し、携帯電話３のブラウザに入力されて管理装置５に送信された前記共通商品コードが前記商品マスターファイルに記憶されている場合に、管理装置５が前記共通商品コードに対応する商品カタログコードおよび商品価格情報を前記商品マスターファイルから抽出し、前記抽出された商品カタログコードに対応する商品用途情報を前記商品用途マスターファイルから抽出し、前記抽出した商品価格情報および商品用途情報を携帯電話３のブラウザに送信する。【選択図】        図１
2005018448.tif 000002
【特許請求の範囲】
【請求項１】
管理装置の商品マスターファイルと商品用途マスターファイルとを用いて商品情報を提供する商品情報提供方法であって、
前記商品マスターファイルは商品に付けられたバーコード並びに前記バーコードが示す共通商品コードに対応する商品カタログコードおよび商品価格情報を記憶し、
前記商品用途マスターファイルは前記商品カタログコードおよび前記商品カタログコードに対応する商品用途情報を記憶し、
情報端末のブラウザに入力されて前記管理装置に送信された前記共通商品コードが前記商品マスターファイルに記憶されている場合に、前記管理装置が前記共通商品コードに対応する商品カタログコードおよび商品価格情報を前記商品マスターファイルから抽出し、前記抽出された商品カタログコードに対応する商品用途情報を前記商品用途マスターファイルから抽出し、前記抽出した商品価格情報および商品用途情報を前記情報端末のブラウザに送信することを特徴とする商品情報提供方法。
【請求項２】
請求項１に記載した商品情報提供方法であって、
前記情報端末のバーコード読み取り装置により、バーコード情報に含まれているインターネット接続先ＵＲＬと前記共通商品コードとを読み取り、前記情報端末が前記読み取られた共通商品コードを前記読み取られたインターネット接続先ＵＲＬに該当する管理装置に送信することを特徴とする商品情報提供方法。
【請求項３】
管理装置の商品マスターファイルと商品用途マスターファイルとを用いて商品情報を提供する商品情報提供方法であって、
前記商品マスターファイルは商品カタログコードおよび商品価格情報を記憶し、
前記商品用途マスターファイルは前記商品カタログコードおよび前記商品カタログコードに対応する商品用途情報を記憶し、
情報端末のブラウザに入力されて前記管理装置に送信された前記商品カタログコードが前記商品マスターファイルに記憶されている場合に、前記管理装置が前記商品カタログコードに対応する商品価格情報を前記商品マスターファイルから抽出し、前記送信された商品カタログコードに対応する商品用途情報を前記商品用途マスターファイルから抽出し、前記抽出した商品価格情報および商品用途情報を前記情報端末のブラウザに送信することを特徴とする商品情報提供方法。
【請求項４】
請求項３に記載した商品情報提供方法であって、
前記情報端末のバーコード読み取り装置により、バーコード情報に含まれているインターネット接続先ＵＲＬと前記商品カタログコードとを読み取り、前記情報端末が前記読み取られた商品カタログコードを前記読み取られたインターネット接続先ＵＲＬに該当する管理装置に送信することを特徴とする商品情報提供方法。
【請求項５】
管理装置のカタログ連動マスターファイル、商品マスターファイルおよび商品用途マスターファイルを用いて商品情報を提供する商品情報提供方法であって、
前記カタログ連動マスターファイルはカタログ識別コードに対応する商品カタログコードを記憶し、
前記商品マスターファイルは前記商品カタログコードに対応する商品価格情報を記憶し、
前記商品用途マスターファイルは前記商品カタログコードに対応する商品用途情報を記憶し、
情報端末が前記カタログ識別コードを前記管理装置に送信し、
前記管理装置が前記カタログ連動マスターファイルから前記送信されたカタログ識別コードに対応する商品カタログコードを抽出し、前記商品マスターファイルから前記抽出された商品カタログコードに対応する商品価格情報を抽出し、
前記商品用途マスターファイルから前記抽出された商品カタログコードに対応する商品用途情報を抽出し、前記抽出された商品価格情報と商品用途情報を前記情報端末に送信することを特徴とする商品情報提供方法。
【請求項６】
請求項５に記載した商品情報提供方法であって、
情報端末に付属したバーコード読み取り装置により入力された接続先ＵＲＬとカタログ識別コードを前記接続先ＵＲＬに該当する管理装置に送信することを特徴とする商品情報提供方法。
【請求項７】
請求項１から６までのいずれかの商品情報提供方法によって管理装置が情報端末のブラウザに商品価格情報および商品用途情報を送信し、
前記情報端末がそのブラウザに入力された顧客識別番号と商品注文情報を前記管理装置に送信することを特徴とする商品注文方法。
【請求項８】
請求項７に記載した商品注文方法であって、
前記管理装置が顧客マスターファイルおよび注文データファイルを備え、
前記顧客マスターファイルが顧客識別番号を記憶し、
前記注文データファイルが商品注文情報を記憶し、
情報端末がそのブラウザに入力された顧客識別番号と商品注文情報を前記管理装置に送信したときに、前記管理装置が前記送信された顧客識別番号を前記顧客マスターファイルに記憶し、
さらに前記情報端末が異なる商品について、顧客識別番号と商品注文情報を前記管理装置に送信したときに、
前記管理装置が請求項１から６までのいずれかの商品情報提供方法によって情報端末のブラウザに前記異なる商品の商品価格情報および商品用途情報を送信するとともに、前記顧客マスターファイルに記憶されている前記顧客識別番号と前記異なる商品についての顧客識別番号とが同一であることを識別し、同一顧客よりの商品注文情報の送信であることを前記注文データファイルに記憶させ、
前記情報端末が連続的な商品注文をすることを特徴とする商品注文方法。
【請求項９】
請求項７または８に記載した商品注文方法であって、
前記管理装置の顧客マスターファイルが前記顧客識別番号に対応する顧客情報を記憶し、
前記管理装置が前記顧客マスターファイルから前記送信された顧客識別番号に対応する顧客情報を抽出し、前記商品注文情報に付加することを特徴とする商品注文方法。
【請求項１０】
請求項７から９までのいずれかに記載した商品注文方法であって、
前記情報端末より前記商品の注文を行い、再度他の情報端末から商品の注文をする場合に、前記他の情報端末から顧客識別番号と商品注文情報を前記管理装置に送信し、
前記管理装置が前記顧客マスタ―ファイルに記憶された前記顧客識別番号を抽出し、前記抽出された顧客識別番号と前記他の情報端末から送信された商品注文情報の顧客識別番号との同一性を識別することを特徴とする商品注文方法。
【発明の詳細な説明】
【０００１】
【発明の属する技術分野】
本発明は、商品情報提供および商品注文の方法に関し、特に携帯端末、携帯電話等の情報端末をインターネット等の通信回線を介して管理装置に接続して、前記管理装置から前記情報端末に商品情報を提供する方法および前記情報端末から前記管理装置に商品を注文する方法に関するものである。
【０００２】
【従来の技術】
通常、ユーザが店頭などに陳列されている商品の情報（商品の内容、種類、用途、注意点など）を知るために、店員に聞いたり、商品パッケージに表示されている情報を見たり、設置されている商品情報の照会装置やカタログで検索したり、商品を製造・販売しているメーカの担当者に問い合わせたりしていた。
さらに、ＩＴ時代に沿って、インターネットに接続した携帯電話、携帯端末等に商品名称や商品に付されている商品コード等を入力して商品の注文や問い合わせをする方法があった。また、インターネットに接続した携帯電話、携帯端末等に商品のバーコード読み取り装置を接続して、商品のバーコードの読み取りを行い、読み取ったバーコード情報を携帯電話、情報端末等のブラウザに入力することにより、商品情報の照会および注文をしていた。
【０００３】
なお、上記従来例は通常行なわれているものであるが、発明者においてこれを記載した刊行物を探したが適当なものを見つけることができなかった。
【０００４】
【発明が解決しようとする課題】
しかし、上述の携帯電話、携帯端末等に商品名称等を入力する方法では、商品の長い名称および商品コード等の数字を携帯電話、携帯端末等に入力する場合、商品の長い名称の入力の手間や商品コード等の入力間違えにより、ユーザが知りたい商品情報を得るまでに時間がかかったり、商品情報を得ることができない場合がある等の問題があった。
また、上述のバーコードを携帯電話、情報端末で読み取る方法では、複数の種類の商品を一度に注文することができなかった。
そこで、本発明が解決しようとする課題は、携帯電話等の情報端末を使用して商品の情報を得ることおよび複数の種類の商品の注文をすることを容易にすることである。
【０００５】
【課題を解決するための手段】
上記課題を解決するため、請求項１記載の発明は、管理装置の商品マスターファイルと商品用途マスターファイルとを用いて商品情報を提供する商品情報提供方法であって、前記商品マスターファイルは商品に付けられたバーコード並びに前記バーコードが示す共通商品コードに対応する商品カタログコードおよび商品価格情報を記憶し、前記商品用途マスターファイルは前記商品カタログコードおよび前記商品カタログコードに対応する商品用途情報を記憶し、情報端末のブラウザに入力されて前記管理装置に送信された前記共通商品コードが前記商品マスターファイルに記憶されている場合に、前記管理装置が前記共通商品コードに対応する商品カタログコードおよび商品価格情報を前記商品マスターファイルから抽出し、前記抽出された商品カタログコードに対応する商品用途情報を前記商品用途マスターファイルから抽出し、前記抽出した商品価格情報および商品用途情報を前記情報端末のブラウザに送信することを特徴とする商品情報提供方法である。なお、ここで、「商品カタログコード」は、商品を大分類、中分類、小分類、細分類等により階層別に分類したものであり、例えば１１桁の数字で表されている。また、「共通商品コード」は、例えばＪＡＮコードである。
これにより、前記管理装置が前記共通商品コードに対応する商品カタログコードおよび商品価格情報を前記商品マスターファイルから抽出し、前記抽出された商品カタログコードに対応する商品用途情報を前記商品用途マスターファイルから抽出し、前記抽出した商品価格情報および商品用途情報を前記情報端末のブラウザに送信する。
【０００６】
さらに、請求項２記載の発明は、請求項１に記載した発明において、前記情報端末のバーコード読み取り装置により、バーコード情報に含まれているインターネット接続先ＵＲＬ（ユ−・アール・エル  Ｕｎｉｆｏｒｍ    Ｒｅｓｏｕｒｃｅ    Ｌｏｃａｔｏｒ）と前記共通商品コードとを読み取り、前記情報端末が前記読み取られた共通商品コードを前記読み取られたインターネット接続先ＵＲＬに該当する管理装置に送信することである。
これにより、バーコード情報に含まれているインターネット接続先ＵＲＬに該当する管理装置に前記共通商品コードを送信するので、送信先の管理装置のＵＲＬを調査する手間を省くことができる。
【０００７】
さらに、請求項３記載の発明は、管理装置の商品マスターファイルと商品用途マスターファイルとを用いて商品情報を提供する商品情報提供方法であって、
前記商品マスターファイルは商品カタログコードおよび商品価格情報を記憶し、前記商品用途マスターファイルは前記商品カタログコードおよび前記商品カタログコードに対応する商品用途情報を記憶し、情報端末のブラウザに入力されて前記管理装置に送信された前記商品カタログコードが前記商品マスターファイルに記憶されている場合に、前記管理装置が前記商品カタログコードに対応する商品価格情報を前記商品マスターファイルから抽出し、前記送信された商品カタログコードに対応する商品用途情報を前記商品用途マスターファイルから抽出し、前記抽出した商品価格情報および商品用途情報を前記情報端末のブラウザに送信することを特徴とする商品情報提供方法である。
これにより、情報端末が商品カタログコードを管理装置に送信することにより、請求項１記載の発明と同様に、管理装置が商品カタログコードに対応する商品価格情報および商品用途情報を前記情報端末に送信することができるので、情報端末を使用して管理装置からユーザの希望する商品の商品価格情報および商品用途情報をユーザに容易に提供することができる。
【０００８】
さらに、請求項４に記載した発明は、請求項３に記載した発明において、前記情報端末のバーコード読み取り装置により、バーコード情報に含まれているインターネット接続先ＵＲＬと前記商品カタログコードとを読み取り、前記情報端末が前記読み取られた商品カタログコードを前記読み取られたインターネット接続先ＵＲＬに該当する管理装置に送信することである。
これにより、バーコード情報に含まれているインターネット接続先ＵＲＬに該当する管理装置に前記商品カタログコードを送信するので、送信先の管理装置のＵＲＬを調査する手間を省くことができる。
【０００９】
さらに、請求項５に記載した発明は、管理装置のカタログ連動マスターファイル、商品マスターファイルおよび商品用途マスターファイルを用いて商品情報を提供する商品情報提供方法であって、前記カタログ連動マスターファイルはカタログ識別コードに対応する商品カタログコードを記憶し、前記商品マスターファイルは前記商品カタログコードに対応する商品価格情報を記憶し、前記商品用途マスターファイルは前記商品カタログコードに対応する商品用途情報を記憶し、
情報端末が前記カタログ識別コードを前記管理装置に送信し、前記管理装置が前記カタログ連動マスターファイルから前記送信されたカタログ識別コードに対応する商品カタログコードを抽出し、前記商品マスターファイルから前記抽出された商品カタログコードに対応する商品価格情報を抽出し、前記商品用途マスターファイルから前記抽出された商品カタログコードに対応する商品用途情報を抽出し、前記抽出された商品価格情報と商品用途情報を前記情報端末に送信することを特徴とする商品情報提供方法である。なお、ここで、「カタログ識別コード」は、カタログ掲載頁に基づいて付番したものであり、通常携帯電話等の情報端末に入力し易いように４桁の数字等から構成されている。
これにより、情報端末がカタログ識別コードを管理装置に送信することにより、前記管理装置が前記カタログ連動マスターファイルから前記送信されたカタログ識別コードに対応する商品カタログコードを抽出し、請求項１記載の発明と同様に、前記管理装置が前記商品カタログコードに対応する商品価格情報および商品用途情報を前記情報端末に送信することができるので、前記情報端末を使用して前記管理装置からユーザの希望する商品の商品価格情報および商品用途情報をユーザに容易に提供することができる。
【００１０】
さらに、請求項６記載の発明は、請求項５に記載した発明において、情報端末に付属したバーコード読み取り装置により入力された接続先ＵＲＬとカタログ識別コードを前記接続先ＵＲＬに該当する管理装置に送信することを特徴とする商品情報提供方法である。
これにより、バーコード情報に含まれているインターネット接続先ＵＲＬに該当する管理装置に前記カタログ識別コードを送信するので、送信先の管理装置のＵＲＬを調査する手間を省くことができる。
【００１１】
さらに、請求項７記載の発明は、請求項１から６までのいずれかの商品情報提供方法によって、管理装置が情報端末のブラウザに商品価格情報および商品用途情報を送信し、前記情報端末がそのブラウザに入力された顧客識別番号と商品注文情報を前記管理装置に送信することを特徴とする商品注文方法である。
これにより、管理装置が情報端末のブラウザに商品価格情報および商品用途情報を送信し、前記情報端末がそのブラウザに入力された顧客識別番号と商品注文情報を前記管理装置に送信するので、情報端末から管理装置に商品を注文することが容易になる。
【００１２】
さらに、請求項８記載の発明は、請求項７に記載した発明において、前記管理装置が顧客マスターファイルおよび注文データファイルを備え、前記顧客マスターファイルが顧客識別番号を記憶し、前記注文データファイルが商品注文情報を記憶し、情報端末がそのブラウザに入力された顧客識別番号と商品注文情報を前記管理装置に送信したときに、前記管理装置が前記送信された顧客識別番号を前記顧客マスターファイルに記憶し、さらに前記情報端末が異なる商品について、顧客識別番号と商品注文情報を前記管理装置に送信したときに、前記管理装置が請求項１から６までのいずれかの商品情報提供方法によって情報端末のブラウザに前記異なる商品の商品価格情報および商品用途情報を送信するとともに、前記顧客マスターファイルに記憶されている前記顧客識別番号と前記異なる商品についての顧客識別番号とが同一であることを識別し、同一顧客よりの商品注文情報の送信であることを前記注文データファイルに記憶させ、前記情報端末が連続的な商品注文をすることを特徴とする商品注文方法である。
これにより、前記管理装置が顧客マスターファイルに記憶されている顧客識別番号と送信された顧客識別番号との同一性を識別し、同一顧客よりの商品注文情報の送信であることを前記注文データファイルに記憶させることにより、情報端末が異なる商品を連続的に管理装置に注文することができる。
【００１３】
さらに、請求項９記載の発明は、請求項７または８に記載した発明において、前記管理装置の顧客マスターファイルが前記顧客識別番号に対応する顧客情報を記憶し、前記管理装置が前記顧客マスターファイルから前記送信された顧客識別番号に対応する顧客情報を抽出し、前記商品注文情報に付加することを特徴とする商品注文方法である。
これにより、情報端末から商品注文情報を管理装置に送信した顧客の情報を容易に得ることができる。
【００１４】
さらに、請求項１０記載の発明は、請求項７から９までに記載した発明において、前記情報端末より前記商品の注文を行い、再度他の情報端末から商品の注文をする場合に、前記他の情報端末から顧客識別番号と商品注文情報を前記管理装置に送信し、前記管理装置が前記顧客マスタ―ファイルに記憶された前記顧客識別番号を抽出し、前記抽出された顧客識別番号と前記他の情報端末から送信された商品注文情報の顧客識別番号との同一性を識別することを特徴とする商品注文方法である。
これにより、最初に商品の注文をした情報端末と異なる情報端末から後に商品を注文した場合においても、前記最初の注文と前記後の注文の顧客識別番号の同一性を識別することにより、同じ顧客からの商品注文であることを容易に識別することができる。
【００１５】
【発明の実施の形態】
以下、本発明における実施の形態を図面に基づいて説明する。図１は、本発明の実施の形態に係る商品情報提供および商品注文の方法に使用するシステムを示すブロック図である。図２は図１の携帯端末のブロック図であり、図３は図１のバーコード読み取りカメラ付き携帯電話のブロック図であり、図４は図１の管理装置のブロック図である。さらに、図５は商品に付ける二次元の図形バーコードを拡大して示し、図６は本発明の実施の形態に相当するフローチャートを示す。
【００１６】
図１に示すように、携帯端末１、携帯電話２、バーコード読み取りカメラ付き携帯電話３等の情報端末が、インターネット通信網４を介して管理装置５に接続されている。
【００１７】
携帯端末１は、図２の入出力部１ａ、入出力部１ａに接続された演算部１ｂおよび演算部１ｂに接続された入力装置１ｃ、メモリ１ｄおよび表示部１ｅを備えている。入力装置１ｃに入力された情報は、演算部１ｂで演算処理されて入出力部１ａから送信される。また、メモリ１ｄはブラウザを記憶しているので、演算部１ｂがブラウザを使用してインターネット通信網４を経由して管理装置５の商品情報等を検索することができる。また、携帯端末１にバーコード読み取り装置を接続することができる。
【００１８】
バーコード読み取りカメラ付き携帯電話３は、図３の通信部３ａ、通信部３ａに接続された演算部３ｂ並びに演算部３ｂに接続されたメモリ３ｃ、音声処理部３ｄ、キー操作部３ｇ、表示部３ｈおよびデジタル式のカメラ３ｉを備えている。ここで、音声処理部３ｄにはマイクロフォン３ｅおよびレシーバ３ｆが接続されている。カメラ３ｉは商品に付された二次元の図形バーコード６（図５参照）を読み取ることができる。また、メモリ３ｃは、図１の携帯端末１と同様のブラウザを記憶しているので、バーコード読み取りカメラ付き携帯電話３は図１の携帯端末１と同様に管理装置５の商品情報等を検索することができる。
図２の携帯電話２は、図３のカメラ３ｉを備えていない点以外はバーコード読み取りカメラ付き携帯電話３と同様のものである。なお、携帯電話２にはバーコード読み取り装置を接続することができる。
【００１９】
管理装置５は、図４の入出力部５ａ、入出力部５ａに接続された演算部５ｂ並びに演算部５ｂに接続された入力装置５ｃ、表示部５ｄおよびメモリ５ｅを備えている。ここで、メモリ５ｅは商品マスターファイル５ｆ、商品用途マスターファイル５ｇ、カタログ連動マスターファイル５ｈ、注文データファイル５ｉおよび顧客マスターファイル５ｊを記憶している。
商品マスターファイル５ｆは、商品を識別するためにこの商品に付けられたバーコードおよびこのバーコードが示す共通商品コードおよび共通商品コードに対応する商品カタログコードおよび商品価格情報を記憶し、商品用途マスターファイル５ｇは、商品カタログコードに対応する商品用途情報を記憶している。ここで、「商品価格情報」は例えば商品が「針金」であるときのＪＡＮコード、仕様、入数、注文単位、メーカー価格等であり、「商品用途情報」は例えば商品が「針金」であるときのサイズ、番手、線径、長さ、使用荷重等である。さらに、カタログ連動マスターファイル５ｈは冊子のカタログ識別コードとこのカタログ識別コードに対応する商品カタログコードを記憶している。
注文データファイル５ｉは、注文履歴として顧客識別番号および顧客識別番号に対応した商品注文情報の注文商品およびその数量を記憶し、顧客マスターファイル５ｊは、顧客の届け先の住所、氏名、連絡先等の顧客情報を管理し自動的に顧客識別番号の割付をし、顧客識別番号とこの顧客識別番号に対応した顧客情報を記憶している。また、ユーザーの顧客識別番号は、予め顧客マスターファイル５ｊに登録することもできる。
そして、上記各ファイル５ｆ、５ｇ、５ｈ、５ｉ、５ｊは、ＵＲＬにより指定可能な共通識別番号により商品情報と顧客別の商品注文情報を管理する。
【００２０】
上記情報端末および管理装置５を使用した本発明の実施の形態を図６のフローチャートを参照して、以下のように説明する。
まず、携帯端末１、携帯電話２、バーコード読み取りカメラ付き携帯電話３等の情報端末に共通商品コード、商品カタログコードまたはカタログ識別コードに相当する値（入力データ）を入力する（ステップＳ１）。この場合の入力方法は、情報端末のブラウザに直接入力する方法と携帯電話３のバーコード読み取りカメラまたはこれと同等のバーコード読み取り装置による方法がある。
つぎに、前記情報端末はインターネット通信網４を経由して管理装置５に入力データを送信する。管理装置５は送信された入力データの桁数を調べて（ステップＳ２）、入力データを識別する（ステップＳ３）。
この結果、入力データが共通商品コードであるときは（ステップＳ４）、商品マスターファイル５ｆを参照し（ステップＳ７）、この入力データに相当する共通商品コードが商品マスターファイル５ｆに記憶されているときは（ステップＳ８）、商品マスターファイル５ｆから送信された共通商品コードに対応する商品カタログコードおよび商品価格情報を抽出する。つぎに、商品用途マスターファイル５ｇを参照して（ステップＳ９）、前記抽出した商品カタログコードに対応する商品用途情報を抽出する。つぎに、管理装置５が前記抽出した商品価格情報および商品用途情報を前記情報端末に送信する（ステップＳ１０）。
【００２１】
また、前記入力データが商品カタログコードであるときは（ステップＳ５）、商品用途マスターファイル５ｇを参照し（ステップＳ１２）、入力データに相当する商品用途情報を抽出する。さらに、前記入力データに相当する商品カタログコードが商品用途マスターファイル５ｇに記憶されているときは、商品マスターファイル５ｆを参照し（ステップＳ１４）、前記入力データに対応する商品価格情報を抽出する。そして、管理装置５が前記抽出した商品価格情報および商品用途情報を前記入力データを管理装置５に送信した情報端末に送信する（ステップＳ１５）。
【００２２】
また、前記入力データがカタログ識別コードであるときは（ステップＳ６）、カタログ連動マスターファイル５ｈを参照し（ステップＳ１７）、前記入力データに相当するカタログ識別コードがカタログ連動マスターファイルに記憶されているときは、前記入力データに対応する商品価格情報を商品マスターファイル５ｆから抽出し、さらに前記入力データに対応する商品用途情報を商品用途マスターファイル５ｇから抽出する。
そして、管理装置５が前記抽出した商品価格情報および商品用途情報を前記入力データを管理装置５に送信した情報端末に送信する（ステップＳ２０）。
【００２３】
また、前記入力データがカタログ識別コードであるときは（ステップＳ６）、カタログ連動マスターファイル５ｈを参照し（ステップＳ１７）、前記入力データがカタログ連動マスターファイル５ｈに記憶されているときは（ステップＳ１８）、前記入力データに相当する商品カタログコードを抽出し、商品マスターファイル５ｆから前記抽出した商品カタログコードに対応する商品価格情報を抽出し、さらに、商品用途マスターファイル５ｇから前記抽出した商品カタログコードに対応する商品用途情報を抽出する（ステップＳ１９）。つぎに、管理装置５が前記抽出した商品価格情報および商品用途情報を前記入力データを管理装置５に送信した情報端末に送信して、その表示部（１ｅ、３ｈ等）に表示する（ステップＳ２０）。
【００２４】
なお、上記各ステップＳ８、Ｓ１３、Ｓ１７において、共通商品コード、商品カタログコード、カタログ識別コードが各ファイルに記憶されていないときは、情報端末の表示部（１ｅ、３ｈ等）にエラーを表示する。
また、各マスターファイル５ｆ、５ｇ、５ｈに入力データに相当する共通商品コード、商品カタログコードおよびカタログ識別コードが記憶されていないときは、入力データの下一桁を削除し（ステップＳ１１、Ｓ１６、Ｓ２１）、再度各マスターファイル５ｆ、５ｇ、５ｈを参照するようにしてもよい（ステップＳ７、Ｓ１２、Ｓ１７）。
【００２５】
つぎに、上述のようにして、商品価格情報および商品用途情報を送信された情報端末により以下のようにして商品の注文をする。
まず、情報端末に商品の注文数量および顧客識別番号を入力すると（ステップＳ３１）、情報端末が前記管理装置５から送信された商品情報（商品価格情報および商品用途情報）および前記入力された商品の注文数量および顧客識別番号のデータ（以下「注文データ」という。）を管理装置５に送信する（ステップＳ３２）。管理装置５は送信された注文データを注文データファイル５ｉに登録する（ステップＳ３３）。ここで、商品注文が終了していなくて（ステップＳ３４）、追加商品を注文するときは（ステップＳ３５）、情報端末のインターネット通信を一度中断して、上記ステップＳ１に戻る。
注文入力が終了したときは（ステップＳ３６）、管理装置５が注文データに含まれている顧客識別番号で注文データの全てを抽出し（ステップＳ３７）、前記注文データの送信元の情報端末に送信し、前記表示部（１ｅ、３ｈ等）はこれを表示する（ステップＳ３８）。ここでユーザは前記表示部（１ｅ、３ｈ等）に表示された注文データを確認して、前記表示部（１ｅ、３ｈ等）の「送信ボタン」をクリックすること等により、再度前記表示された注文データを管理装置５に送信する（ステップＳ３９）。これにより、前記送信された注文データを注文データファイル５ｉより削除し、受注データとして図示しない出荷管理装置に送信する。つぎに、管理装置５が顧客マスターファイル５ｊから（ステップＳ４０）前記送信された顧客識別番号に対応した顧客情報を抽出し（ステップＳ４１）、前記受注データに付加すると、注文が完了する。
【００２６】
また、バーコード読み取りカメラ付き携帯電話３のバーコード読み取り装置により、二次元の図形バーコード６の情報に含まれているインターネット接続先ＵＲＬと前記共通商品コード、商品カタログコードおよびカタログ識別コードを読み取り、バーコード読み取りカメラ付き携帯電話３が前記読み取られた共通商品コード、商品カタログコードおよびカタログ識別コードを前記読み取られたインターネット接続先ＵＲＬに該当する管理装置５に送信することもできる。
【００２７】
また、バーコード読み取りカメラ付き携帯電話３のブラウザに入力された顧客識別番号と商品注文信号を管理装置５に送信し、バーコード読み取りカメラ付き携帯電話３のブラウザに入力された顧客識別番号と商品注文信号を管理装置５に送信することにより、顧客マスターファイル５ｊに記憶されている前記顧客識別番号とこの顧客識別番号に対応する顧客情報を抽出し、前記商品注文を行った顧客と同一であることを識別し、同一顧客よりの注文情報の送信であることを注文データファイル５ｉに記憶させ、バーコード読み取りカメラ付き携帯電話３のみでは行うことができない連続的な商品注文をすることができる。また、その際、異なるバーコード読み取りカメラ付き携帯電話３を使用して連続的に商品の注文をすることもできる。
また、各マスタ―ファイル５ｆ、５ｇ、５ｈを参照することにより、店頭にない商品について情報を得たり、注文をしたりすることができる。
また、顧客識別番号および顧客情報を顧客マスターファイル５ｊに記憶させる（登録する）ことにより、顧客の届け先の住所、氏名、連絡先等を新たに管理装置５に入力する手間を省くことができる。
さらに、商品パッケージへの商品の詳細情報の印刷やＰＯＰなどに商品詳細情報を表示する場合に多くの商品の詳細情報を表示することが困難であること等を解決し、また、大型の商品情報表示装置の設置が不要になる。
【００２８】
なお、上記実施の形態において、インターネット通信網４が使用されているが、これに限定されず双方向の通信が可能な通信回路網であればよい。
また、ステップＳ１１、Ｓ１６、Ｓ２１において、入力した値の下一桁を削除しているが、これに限らず、入力した値の一部分を削除するようにしてもよい。
また、商品マスターファイル、商品用途マスターファイルおよびカタログ連動マスターファイルをそれそれ別個に設けているが、これらを一つのファイルにまとめてもよい。
また、入力データの識別（ステップＳ３）は、入力データの桁数を調べて行っているが、これに限定されず、入力データの範囲の指定、入力データの文字の追加、入力データのスキャン時のＵＲＬの違いによっても行うことができる。
【００２９】
【発明の効果】
請求項１記載の発明によれば、顧客等のユーザが、情報端末により共通商品コードを管理装置に送信することにより、管理装置から前記共通商品コードの商品についての商品価格情報および商品用途情報を前記情報端末に迅速に送信することができるので、情報端末を使用して管理装置からユーザの希望する商品の商品価格情報および商品用途情報をユーザに容易に提供することができる。
さらに、請求項２記載の発明によれば、請求項１記載の発明の効果とともに、送信先の管理装置に共通商品コードを自動的に送信することができる。
さらに、請求項３記載の発明によれば、情報端末から商品カタログコードを管理装置に送信することにより、管理装置が商品カタログコードに相当する商品の商品価格情報と商品用途情報を前記情報端末に迅速に送信することができるので、情報端末を使用して管理装置からユーザの希望する商品の商品価格情報および商品用途情報をユーザに容易に提供することができる。
さらに、請求項４記載の発明によれば、請求項３記載の発明の効果とともに、送信先の管理装置に商品カタログコードを自動的に送信することができる。
さらに、請求項５記載の発明によれば、情報端末からカタログ識別コードを管理装置に送信することにより、管理装置がカタログ識別コードに相当する商品の商品価格情報と商品用途情報を前記情報端末に迅速に送信することができるので、情報端末を使用して管理装置からユーザの希望する商品の商品価格情報および商品用途情報をユーザに容易に提供することができる。
さらに、請求項６記載の発明によれば、請求項５記載の発明の効果とともに、送信先の管理装置にカタログ識別コードを自動的に送信することができる。
さらに、請求項７記載の発明によれば、情報端末から管理装置に商品を容易に注文することができる。
さらに、請求項８記載の発明によれば、請求項７記載の発明の効果とともに、情報端末から複数の異なる商品を連続して管理装置に注文することができるので、ユーザにとって利便性が向上する。
さらに、請求項９記載の発明によれば、請求項７から８までの発明の効果とともに、情報端末から管理装置に商品を注文する顧客の情報を容易に得ることができる。
さらに、請求項１０記載の発明によれば、請求項７から９までの発明の効果とともに、同一の顧客が複数の異なる情報端末から管理装置に商品の注文をすることが容易になる。
【図面の簡単な説明】
【図１】本発明の実施の形態に係る商品情報提供および商品注文の方法に使用するシステムを示すブロック図である。
【図２】図１の携帯端末のブロック図である。
【図３】図１のバーコード読み取りカメラ付き携帯電話のブロック図である。
【図４】図１の管理装置のブロック図である。
【図５】商品に付ける二次元の図形バーコードを拡大して示す説明図である。
【図６】本発明の実施の形態に相当するフローチャートを示す。
【符号の説明】
１  携帯端末（情報端末）
２  携帯電話（情報端末）
３  バーコード読み取りカメラ付き携帯電話（情報端末）
４  インターネット通信網
５  管理装置
５ｆ  商品マスターファイル
５ｇ  商品用途マスターファイル
５ｈ  カタログ連動マスターファイル
５ｉ  注文データファイル
５ｊ  顧客マスターファイル
６  二次元の図形バーコード
【図１】
2005018448.tif 000003
【図２】
2005018448.tif 000004
【図３】
2005018448.tif 000005
【図４】
2005018448.tif 000006
【図５】
2005018448.tif 000007
【図６】
2005018448.tif 000008